(57)【特許請求の範囲】
【請求項１】
上枠、下枠および左右の縦枠からなるサッシ枠内に障子を片引きもしくは引違いに開閉自在に設け、この障子にその閉鎖時の動きに伴い障子を気密材を介して縦枠に押圧させるべく引寄せる引寄せピースを設け、この引寄せピースは縦枠に設けたフィンにより案内されるテーパー部を有し、前記フィンに当接して閉鎖時の障子の位置を規制する規制部を引寄せピースと一体もしくは別体に設け、この規制部は障子の開閉移動方向に規制量を調整可能とされていることを特徴とするサッシ。
【発明の詳細な説明】
【０００１】
【発明の属する技術分野】
本発明は、サッシに係り、特に障子閉鎖時の引寄せ量を一定にし障子の初動開閉力を一定にしたサッシに関する。
【０００２】
【従来の技術】
上枠、下枠および左右の縦枠からなるサッシ枠内に、障子を片引きもしくは引違いに開閉自在に設けてなるサッシにおいては、図７に示すように、障子３の閉鎖時の気密性を高めるために、閉鎖時の障子３の動きに伴い障子３を縦枠１ｃの気密材９に押圧させるべく引寄せるための引寄せピース１０を備えている。この引寄せピース１０は、縦枠１ｃに設けたフィン１３により案内されるテーパー部１４を有している。
【０００３】
このようなサッシにおいては、製作誤差や施工誤差を考慮して錠装置であるクレセントのクレセント受けを調整可能とされていると共に、前記引寄せピース１０も固着具であるビス２５の孔部１６を長穴とすることにより室内外方向に調整して障子３の引寄せ量を調整可能とされている。
【０００４】
【発明が解決しようとする課題】
しかしながら、前記サッシにおいては、引寄せピースの構造上、障子を勢いよく閉めたり、クレセント受けをきつく調整した場合に、正規寸法よりも更に障子が引き寄ってしまうことがあった。図７の（ａ）は障子の正規の閉鎖状態を示し、図７の（ｂ）は障子を勢いよく閉めた場合等の不正規の閉鎖状態を示している。例えば、正規の閉鎖状態の障子３と縦枠１ｃ間の寸法ｕを３ｍｍ、引寄せ量ｔを１．６ｍｍとすると、不正規の閉鎖状態の障子３と縦枠１ｃ間の寸法ｕｘが１．５ｍｍ、引寄せ量ｔｘが１．２ｍｍになってしまっていた。このため、障子３と縦枠１ｃとの間の気密材９による摩擦抵抗が増大して、障子３を開ける際の初動開閉力が重くなり、開閉操作性が悪くなるという不具合が発生していた。ビル用のサッシの場合、障子に風圧が加わるため、障子を開ける際の初動開閉力が更に重くなる傾向があった。
【０００５】
本発明は、前記事情を考慮してなされたもので、障子の開閉スピードやクレセント受けの調整量に関わらず引寄せ量を一定にすることができ、障子の初動開閉力を一定にすることができるサッシを提供することを目的とする。
【０００６】
【課題を解決するための手段】
本発明に係るサッシは、上枠、下枠および左右の縦枠からなるサッシ枠内に障子を片引きもしくは引違いに開閉自在に設け、この障子にその閉鎖時の動きに伴い障子を気密材を介して縦枠に押圧させるべく引寄せる引寄せピースを設け、この引寄せピースは縦枠に設けたフィンにより案内されるテーパー部を有し、前記フィンに当接して閉鎖時の障子の位置を規制する規制部を引寄せピースと一体もしくは別体に設け、この規制部は障子の開閉移動方向に規制量を調整可能とされていることを特徴とする。
【０００７】
【発明の実施の形態】
以下に、本発明の実施の形態を添付図面に基いて詳述する。図１は本発明の実施の形態を示すサッシの室内側正面図、図２は図１のＡ−Ａ線拡大断面図、図３は図１のＢ−Ｂ線拡大断面図、図４は引寄せピースを示す図、図５は規制部の作用を示す図である。
【０００８】
これらの図において、１は建物の躯体に取付けられる四方枠からなるサッシ枠で、このサッシ枠１は上枠１ａ、下枠１ｂおよび左右の縦枠１ｃ，１ｄからなっている。このサッシ枠１を構成する上枠１ａ等の枠材は、例えばアルミニウム合金の押出形材からなっている。前記サッシ枠１には、内外の障子２，３が引違いに開閉自在に設けられている。
【０００９】
内障子２は、上框４ａ、下框４ｂおよび左右の縦框（召し合せ框、戸先框）４ｃ，４ｄからなる框（四方框）４にガラス５を嵌め込んでなり、外障子３は、上框６ａ、下框６ｂおよび左右の縦框（召し合せ框、戸先框）６ｃ，６ｄからなる框（四方框）６にガラス５を嵌め込んでなる。障子２，３の框４，６を構成する上框４ａ，６ａ等の框材は、例えばアルミニウム合金の押出形材からなっている。
【００１０】
内障子２の召し合せ框（召し内框ともいう。）４ｃには、錠装置であるクレセント７が設けられ、外障子３の召し合せ框（召し外框ともいう。）６ｃには、クレセント７が係合するクレセント受け８が設けられている。クレセント受け８は、ビス止め用の孔部を長穴とすることにより締り量を調整可能とされている（図示省略）。
【００１１】
前記障子２，３には、その閉鎖時の動きに伴い障子２，３を気密材９を介して縦枠１１ｃ，１ｄに押圧させるべく引寄せるための引寄せピース１０が設けられている。縦枠１ｃ，１ｄには、障子２，３の戸先部である戸先框４ｄ，６ｄの先端を収容する溝（戸先収容溝ともいう。）１１が設けられ、その室内側の溝壁１２に気密材９が設けられている。なお、溝壁１２は、縦枠１ｃ，１ｄの内面にリブ状に一体的に突設されている。
【００１２】
縦枠１ｃ，１ｄの戸先収容溝１１には、引寄せピース１０を介して障子２，３の戸先部を前記溝壁１２の気密材９に押圧する方向（引寄せ方向）に案内するためのフィン１３が突設されている。引寄せピース１０は、縦枠１ｃ、１ｄに設けた前記フィン１３により引寄せ方向に案内されるテーパー部１４を有している。引寄せピース１０は、例えば合成樹脂製であり、障子２，３の戸先框４ｄ，６ｄに上下に少なくとも２個取付けられる。引寄せピース１０は、サッシの高さによって３〜４個取付ける場合があるが、その際には規制部付の引寄せピースを上下に２個取付け、中間部には規制部なしの引寄せピースを取付ける。勿論、全て規制部付の引寄せピースを取付けてもよいが、調整手間が増えるだけで、効果が特に変わらないので、規制部付の引寄せピースは上下２箇所で足りる。この引寄せピース１０を障子２，３の戸先部に設けるために、戸先框４ｄ、６ｄの先端部は戸先側に開口した溝（戸先溝ともいう。）１５を有する断面コ字状に形成されており、その戸先溝１５内に引寄せピース１０が固着具であるビス２５（図５（ｃ）参照）で取付けられている。
【００１３】
引寄せピース１０は、図４に示すように、戸先框４ｄ、６ｄにビス止めされる縦長のピース本体１０ａを有し、このピース本体１０ａの片側半分（図示例では右半分）に厚さ方向に突出形成された突出部１０ｂの内側面に前記テーパー部１４が形成されている。前記ピース本体１０ａには、ビスを通すための一対の孔部１６が設けられているが、これらの孔部１６は室内外方向に横長の長穴とされており、これにより引寄せ量ｔを調整可能とされている。
【００１４】
前記引寄せピース１０の一端（図示例では上端）には、前記縦枠１ｃ、１ｄのフィン１３に当接して閉鎖時の全閉状態の障子２，３の位置を規制するための規制部１７が一体に設けられ、この規制部１７は障子２，３の開閉移動方向に規制量ｈを調整可能とされている。この規制部１７は、引寄せピース１０の一端に肉厚の薄い連結部１８を介して一体形成されており、図５の（ｃ）にも示すように、その弾性を有する連結部１８を支点に前記フィン１３と対向する方向（障子の閉移動方向）へ回動可能（移動可能）とされている。換言すれば、規制部１７は、連結部１８の弾性変形（曲げ）によりその厚さ方向（突出高さ方向、障子の閉移動方向と同じ）に変位可能とされている。
【００１５】
前記規制部１７には、縦框からの、具体的には戸先框４ｄ，６ｄの戸先溝１５の底面１５ａからの突出高さ（規制量）ｈを調整するためのビス１９が螺着されている。すなわち、ビス１９を緩めた状態（ビスの先端が規制部の底面から突出していない状態）では図４の（ｂ）に示すように規制部１７は連結部１８の弾性復元力により戸先框４ｄ，６ｄの戸先溝１５の底面１５ａに当接しており、ビス１９を捩じ込むと、ビス１９の先端が戸先溝１５の底面１５ａに当接する反力で図５の（ｃ）に示すように規制部１７が連結部１８を支点に回動して持ち上がり（フィンと対向する方向へ変位し）、これにより規制量ｈが調整可能となる。なお、ビス１９の頭部とフィン１３との衝突を避けるために、ビス１９の頭部は規制部１７から突出しないこと、すなわち規制部１７に設けた収容部２０に収容（没入）されていることが好ましい。
【００１６】
次に、以上の構成からなるサッシの作用を述べる。サッシは、施工誤差や製作誤差を考慮してクレセント受け８や引寄せピース１０の取付位置が調整可能になっている。従って、サッシを建物の躯体に取付けた場合には、サッシ枠１に対して障子２，３が正しく収まり、特に障子２，３を閉鎖してクレセント７を施錠したときに、引寄せピース１０のテーパー部１４が縦枠１ｃ，１ｄのフィン１３に当接することにより障子２，３の戸先框４ｄ，６ｄが縦枠１ｃ，１ｄの溝壁１２に気密材９を介して押圧されるべく溝壁側（室内方向）に引寄せられ、この時の引寄せ量ｔが正規寸法例えば１．６ｍｍとなるようにクレセント受け８および引寄せピース１０の取付位置を調整すると共に規制部１７の規制量ｈを調整しておく。
【００１７】
規制部１７の規制量ｈは、規制部１７に螺着されているビス１９をドライバーで回すことにより容易に調整することができる。図４の（ｂ）および図５の（ａ）は規制部１７を調整しない初期状態を示し、図５の（ｂ）および（ｃ）は規制部１７を規制量ｈが大きくなるように調整した状態を示している。障子２，３を閉めた時に規制部１７が縦枠１ｃ、１ｄのフィン１３に当接することにより、障子２，３の閉鎖状態の位置が規制されるため、障子２，３を勢いよく閉めたり、クレセント受け８をきつく調整した場合でも閉鎖位置以上に障子２，３が移動することがなく、従って、障子２，３が前記引寄せ量ｔの正規寸法よりも更に引寄せられることもない。
【００１８】
障子２，３を閉めると、先ず引寄せピース１０のテーパー部１４が縦枠１ｃ，１ｄのフィン１３に当接し、テーパー部１４による引寄せ作用で障子２，３の戸先框４ｄ，６ｄの室内面が縦枠１ｃ，１ｄの溝壁１２に気密材９を介して押圧され、次いで規制部１７が縦枠１ｃ，１ｄのフィン１３に当接し、障子２，３が完全な閉鎖状態（全閉状態）となる。このように、本実施の形態のサッシによれば、上枠１ａ、下枠１ｂおよび左右の縦枠１ｃ，１ｄからなるサッシ枠１内に障子２，３を引違いに開閉自在に設け、この障子２，３にその閉鎖時の動きに伴い障子２，３を気密材９を介して縦枠１ｃ，１ｄに押圧させるべく引寄せる引寄せピース１０を設け、この引寄せピース１０は縦枠１ｃ，１ｄに設けたフィン１３により案内されるテーパー部１４を有し、前記フィン１３に当接して閉鎖時の障子２，３の位置を規制する規制部１７を引寄せピース１０と一体に設け、この規制部１７は障子２，３の開閉移動方向に規制量ｈを調整可能とされているため、障子２，３の開閉スピードやクレセント受け８の調整量に関わらず障子２，３の引寄せ量ｔを一定にすることができる。これにより、障子２，３を開ける際の初動開閉力を一定にすることができるので、開閉操作性の向上が図れる。
【００１９】
また、規制部１７が引寄せピース１０に一体に設けられているため、構成ないし構造の簡単化、部品点数の削減およびコストの低減が図れると共に、引寄せピース１０を取付けるだけで規制部１７も同時に取付けることができ、取付性の向上が図れる。しかも、規制部１７が引寄せピース１０に対して肉厚の薄い連結部１８を介して突出高さ方向に曲げ変位可能に連結されているため、規制部１７に設けたビス１９の調整だけで規制量ｈを迅速且つ容易に調整することができ、作業性の向上が図れる。
【００２０】
図６は本発明の他の実施の形態を示す図で、（ａ）は規制部の平面図、（ｂ）は同正面図である。本実施の形態では、引寄せピース１０の一端に設けられた規制部１７が、その厚さ方向に重なった上下の部材１７ａ，１７ｂと、これら上下の部材１７ａ，１７ｂを連結するビス２１とからなっている。上下の部材１７ａ，１７ｂは、対向面がテーパになっていると共にテーパー方向に滑らないようにすべく互い噛み合う歯部２２が対向面に形成されている。上部材１７ａにはビス２１を通すためのテーパー方向に横長の孔部２３が形成され、ビス２１はその孔部２３を通して下部材１７ｂに捩じ込まれている。
【００２１】
下部材１７ｂは、いわば規制部本体であり、引寄せピース１０の一端に一体に設けられている。この下部材１７ｂに対して上部材１７ａをテーパー方向に移動させて位置を変えることにより、規制部１７の厚さ（突出高さ）すなわち規制量ｈが調整できるようになっている。上部材１７ａには、縦枠１ｃ，１ｄのフィン１３に当接する当接部２４が前記ビス２１の頭部よりも高く形成されている。このように構成された規制部１７においても、前記実施の形態の規制部１７と同様の効果を奏することができる。
【００２２】
以上、本発明の実施の形態を図面により詳述してきたが、本発明は前記実施の形態に限定されるものではなく、本発明の要旨を逸脱しない範囲での種々の設計変更等が可能である。例えば、本発明に係るサッシとしては、前記実施の形態に示されるように障子を引違いに設けた引違いサッシだけでなく、障子を片引きに設けた片引きサッシであってもよい。また、サッシは、窓タイプでも、テラスタイプでもよい。前記実施の形態では、規制部が引寄せピースと一体に設けられているが、別体に設けられていてもよい。更に、前記実施の形態では、気密材が縦枠側に設けられているが、障子側に設けられていてもよい。
【００２３】
【発明の効果】
以上要するに本発明によれば、上枠、下枠および左右の縦枠からなるサッシ枠内に障子を片引きもしくは引違いに開閉自在に設け、この障子にその閉鎖時の動きに伴い障子を気密材を介して縦枠に押圧させるべく引寄せる引寄せピースを設け、この引寄せピースは縦枠に設けたフィンにより案内されるテーパー部を有し、前記フィンに当接して閉鎖時の障子の位置を規制する規制部を引寄せピースと一体もしくは別体に設け、この規制部は障子の開閉移動方向に規制量を調整可能とされているため、障子の開閉スピードやクレセント受けの調整量に関わらず障子の引寄せ量を一定にすることができ、障子の初動開閉力を一定にすることができ、開閉操作性の向上が図れる。
【図面の簡単な説明】
【図１】本発明の実施の形態を示すサッシの室内側正面図である。
【図２】図１のＡ−Ａ線拡大断面図である。
【図３】図１のＢ−Ｂ線拡大断面図である。
【図４】引寄せピースを示す図で、（ａ）は平面図、（ｂ）は側面図、（ｃ）は正面図である。
【図５】規制部の作用を示す図で、（ａ）は断面図、（ｂ）は規制部を調整したときの断面図、（ｃ）は同側面図である。
【図６】本発明の他の実施の形態を示す図で、（ａ）は規制部の平面図、（ｂ）は同正面図である。
【図７】従来のサッシの要部を示す図で、（ａ）は正規の閉鎖状態の断面図、（ｂ）は不正規の閉鎖状態の断面図である。
【符号の説明】
１  サッシ枠
１ａ  上枠
１ｂ  下枠
１ｃ，１ｄ  縦枠
２，３  障子
９  気密材
１０  引寄せピース
１３  フィン
１４  テーパー部
１７  規制部
ｈ  規制量
【図１】
0003594859.tif 000002
【図２】
0003594859.tif 000003
【図３】
0003594859.tif 000004
【図４】
0003594859.tif 000005
【図５】
0003594859.tif 000006
【図６】
0003594859.tif 000007
【図７】
0003594859.tif 000008